(57)【特許請求の範囲】
【請求項１】
上方に開口する送風口を有する本体ケースと、この本体ケース内に設けた送風手段と、前記送風口の上方を、所定間隔をおいて覆ったルーバーとを備え、前記ルーバーは、前記送風口を覆うルーバー面部と、このルーバー面部の両端に位置すると共に外方に延びた軸部とから形成し、この軸部は前記本体ケースに設けた軸受部に回動自在に装着され、前記ルーバー面部には第１の撓み部を備え、前記ルーバー面部と少なくとも一方の前記軸部との間に第２の撓み部を設け、前記ルーバー面部が水平方向に位置する状態において、前記ルーバー面部を掴み引き上げると、前記第１の撓み部は、垂直方向に撓み、前記第２の撓み部は、前記軸部の軸方向に撓むと共に、前記軸部は、前記ルーバーの内方へ入り込み、前記ルーバー面部が垂直方向に位置する状態において、前記ルーバー面部を掴み引き上げると、前記第２の撓み部は、前記軸部の軸方向に撓むと共に、前記軸部は、前記ルーバーの内方へ入り込む構成とし、前記第２の撓み部と前記ルーバー部との間に支持部を設け、前記第２の撓み部は、可撓性材料にて形成すると共に、前記軸部の軸方向に対する垂直面において前記支持部から水平に後方へ延びた平板形状で構成した風向変更装置。
【請求項２】
前記第１の撓み部は、前記ルーバー面部を前記軸部の軸方向に長い横長形状で、可撓性材料にて形成する構成とした請求項１に記載の風向変更装置。
【請求項３】
前記ルーバー面部が垂直方向に位置する状態において、前記ルーバー面部を掴み引き上げると、前記第２の撓み部は、前記軸部の軸方向に撓むと共に、前記軸部は、前記軸部の上部は水平方向において均等に前記ルーバーの内方へ入り込む構成とした請求項１または２に記載の風向変更装置。
【請求項４】
前記軸部には傾斜部を設け、この傾斜部は、円柱形状の前記軸部の先端に位置し、前記軸部の中心から前記第２の撓み部側の半円部分が、前記軸部の中心から前記第２の撓み部側に向かうにつれて前記ルーバーの内方へ傾斜する構成とした請求項１から３のいずれかに記載の風向変更装置。
【請求項５】
上方に開口する送風口を有する本体ケースと、この本体ケース内に設けた送風手段と、前記送風口の上方を、所定間隔をおいて覆ったルーバーとを備え、前記ルーバーは、前記送風口を覆うルーバー面部と、このルーバー面部の両端に位置すると共に外方に延びた軸部とから形成し、この軸部は前記本体ケースに設けた軸受部に回動自在に装着され、前記ルーバー面部には第１の撓み部を備え、前記ルーバー面部と少なくとも一方の前記軸部との間に第２の撓み部を設け、前記ルーバー面部が水平方向に位置する状態において、前記ルーバー面部を掴み引き上げると、前記第１の撓み部は、垂直方向に撓み、前記第２の撓み部は、前記軸部の軸方向に撓むと共に、前記軸部は、前記ルーバーの内方へ入り込み、前記ルーバー面部が垂直方向に位置する状態において、前記ルーバー面部を掴み引き上げると、前記第２の撓み部は、前記軸部の軸方向に撓むと共に、前記軸部は、前記ルーバーの内方へ入り込む構成とし、前記軸部には傾斜部を設け、この傾斜部は、円柱形状の前記軸部の先端に位置し、第１の傾斜部と第２の傾斜部とから形成し、前記第１の傾斜部は、前記ルーバー面部が水平方向に位置する状態において、前記軸部の中心から前記第２の撓み部側の上部の扇形部分に位置し、前記軸部の中心から前記第２の撓み部側に向かうにつれて前記ルーバーの内方へ傾斜すると共に、前記軸部の中心から上部に向かうにつれて前記ルーバーの内方へ傾斜し、前記第２の傾斜部は、前記ルーバー面部が水平方向に位置する状態において、前記軸部の中心から前記第２の撓み部側の下部の扇形部分に位置し、前記軸部の中心から前記第２の撓み部側に向かうにつれて前記ルーバーの内方へ傾斜すると共に、前記軸部の中心から下部に向かうにつれて前記ルーバーの内方へ傾斜する構成とした風向変更装置。
【発明の詳細な説明】
【技術分野】
【０００１】
本発明は、除湿機などの空調装置の吹出口に使用される風向変更装置に関する。
【背景技術】
【０００２】
風向変更装置は、上方に開口する送風口を有する本体ケースと、この本体ケース内に設けた送風手段と、送風口の上方を、所定間隔をおいて覆ったルーバーとを備え、ルーバーは、送風口を覆うルーバー面部と、このルーバー面部の両端から下方に延びた支持部と、この支持部から外方に延びた軸部とから形成し、この軸部は本体ケースに設けた軸受部に回動自在に装着され、ルーバー面部は、ルーバー面部が水平方向に位置する状態において垂直方向に撓む構成となっていた（例えば、特許文献１参照）。
【先行技術文献】
【特許文献】
【０００３】
【特許文献１】特開２００９−１８９９７２号公報
【発明の概要】
【発明が解決しようとする課題】
【０００４】
上記従来例における課題としては、風向変更装置の移動時の安全性の更なる向上が求められていることである。
【０００５】
すなわち、使用者が本体を運ぶ場合に、通常は、取手部等を持って移動させるものであるが、誤ってルーバーを掴んで本体を持ち上げると、運ぶ途中で本体がルーバーから外れ、本体が落下する場合がある。
【０００６】
そこで、従来は、ルーバー面部には、ルーバー面部が水平方向に位置する状態において垂直方向に撓む構成となっていた。ここで、ルーバーを掴んで本体を持ち上げると、本体の自重によってルーバー面部が垂直方向に撓み、ルーバー面部が水平方向に位置する状態における軸部は、ルーバーの内方へ入り込むので、軸受部から軸部が容易に外れ、本体が持ち上がる前にルーバーが本体から外れるものである。
【０００７】
しかし、ルーバー面部が垂直方向に位置する状態において、ルーバー面部を掴み引き上げると、ルーバー面部は本体の自重によって撓まないものである。つまり、ルーバー面部が垂直方向に位置する状態における軸部は、ルーバーの内方へ入り込まないので、本体が持ち上がる前にルーバーが本体から外れないものである。
【０００８】
そこで本発明は、風向変更装置の移動時の安全性を更に向上させることを目的とするものである。
【課題を解決するための手段】
【０００９】
そしてこの目的を達成するために本発明は、上方に開口する送風口を有する本体ケースと、この本体ケース内に設けた送風手段と、前記送風口の上方を、所定間隔をおいて覆ったルーバーとを備え、前記ルーバーは、前記送風口を覆うルーバー面部と、このルーバー面部の両端に位置すると共に外方に延びた軸部とから形成し、この軸部は前記本体ケースに設けた軸受部に回動自在に装着され、前記ルーバー面部には第１の撓み部を備え、前記ルーバー面部と少なくとも一方の前記軸部との間に第２の撓み部を設け、前記ルーバー面部が水平方向に位置する状態において、前記ルーバー面部を掴み引き上げると、前記第１の撓み部は、垂直方向に撓み、前記第２の撓み部は、前記軸部の軸方向に撓むと共に、前記軸部は、前記ルーバーの内方へ入り込み、前記ルーバー面部が垂直方向に位置する状態において、前記ルーバー面部を掴み引き上げると、前記第２の撓み部は、前記軸部の軸方向に撓むと共に、前記軸部は、前記軸部の上部は水平方向において均等に前記ルーバーの内方へ入り込む構成とし、前記第２の撓み部と前記ルーバー部との間に支持部を設け、前記第２の撓み部は、可撓性材料にて形成すると共に、前記軸部の軸方向に対する垂直面において前記支持部から水平に後方へ延びた平板形状で構成したものであり、これにより初期の目的を達成するものである。
【発明の効果】
【００１０】
以上のように本発明は、上方に開口する送風口を有する本体ケースと、この本体ケース内に設けた送風手段と、前記送風口の上方を、所定間隔をおいて覆ったルーバーとを備え、前記ルーバーは、前記送風口を覆うルーバー面部と、このルーバー面部の両端に位置すると共に外方に延びた軸部とから形成し、この軸部は前記本体ケースに設けた軸受部に回動自在に装着され、前記ルーバー面部には第１の撓み部を備え、前記ルーバー面部と少なくとも一方の前記軸部との間に第２の撓み部を設け、前記ルーバー面部が水平方向に位置する状態において、前記ルーバー面部を掴み引き上げると、前記第１の撓み部は、垂直方向に撓み、前記第２の撓み部は、前記軸部の軸方向に撓むと共に、前記軸部は、前記ルーバーの内方へ入り込み、前記ルーバー面部が垂直方向に位置する状態において、前記ルーバー面部を掴み引き上げると、前記第２の撓み部は、前記軸部の軸方向に撓むと共に、前記軸部は、前記軸部の上部は水平方向において均等に前記ルーバーの内方へ入り込む構成とし、前記第２の撓み部と前記ルーバー部との間に支持部を設け、前記第２の撓み部は、可撓性材料にて形成すると共に、前記軸部の軸方向に対する垂直面において前記支持部から水平に後方へ延びた平板形状で構成したものであり、風向変更装置の移動時の安全性を更に向上することが出来るものである
【００１１】
すなわち、まず、ルーバー面部が水平方向に位置する状態においては、ルーバー面部を掴み引き上げると本体の自重によって、第１の撓み部は、垂直方向に撓み、第２の撓み部は、軸部の軸方向に撓むものである。これにより、軸部は、ルーバーの内方へ入り込むものである。つまり、第１の撓み部と第２の撓み部との２箇所が撓むので、軸受部から軸部が容易に外れ、本体が持ち上がる前にルーバーが本体から外れるものである。
【００１２】
次に、ルーバー面部が垂直方向に位置する状態において、ルーバー面部を掴み引き上げると、本体の自重によって第２の撓み部が撓む。ここで、第２の撓み部は、ルーバー面部が垂直方向に位置する状態において、ルーバー面部の第２の支持部から下方向、つまり第２の撓み部は、ルーバー面部を掴んで引き上げる方向と同方向である上下方向に延びているので、ルーバー面部が垂直方向に位置する状態における第２の軸部の上部は、水平方向において均等にルーバーの内方へ入り込み、第２の軸受部から第２の軸部が容易に外れ、本体が持ち上がる前にルーバーが本体ケースから外れるものである。
【００１３】
結果として、風向変更装置の移動時の安全性を更に向上することが出来るものである。
【図面の簡単な説明】
【００１４】
【図１】本発明の実施形態１を示す斜視図
【図２】同本体の断面概略図
【図３】同ルーバー部分を示す概略図
【図４】同第１の軸受部を示す概略図
【図５】同第２の軸受部を示す概略図
【図６】同第２の軸部を示す概略図
【図７】本発明の実施形態２を示す斜視図
【発明を実施するための形態】
【００１５】
（実施の形態１）
以下本発明の一実施形態を添付図面を用いて説明する。
【００１６】
図１および２において、１は縦長箱状の本体ケースで、この本体ケース１の背面には吸込口２、上面の背面側には送風口３、上面の前面側には取手部３３が設けられている。
【００１７】
また本体ケース１内には、圧縮機（図示せず）と、凝縮器４、蒸発器５を備えた冷凍サイクルと、除湿ロータ６からなる除湿手段が設けられている。
【００１８】
すなわち、上記先行文献にも類似する構成が記載されているので、ここでは説明を簡略化するが、本実施形態の除湿動作は以下のようになっている。先ずモータ７によりファン８を駆動すると、吸込口２から室内空気が本体ケース１内に吸入され、この空気の大部分は凝縮器４で加熱され、相対湿度が低くなった状態で、送風口３から室内に送風されるようになっている。
【００１９】
また、送風手段であるファン８により本体ケース１内に吸入された空気の一部は、加熱され、相対湿度が低くなった状態で除湿ロータ６の放出部を通過し、この時この放出部からの放出湿度を伴って次に蒸発器５へと誘導され、この蒸発器５で冷却され、ここで湿気を結露させる。
【００２０】
この結露水はドレインパン９を介してタンク１０中に溜められる。
【００２１】
また、蒸発器５で結露しなかった湿気は除湿ロータ６の吸湿部で吸湿され、この吸湿部は除湿ロータ６の回転によりその後上記放出部となり、これにより捕らえた湿気を加熱空気に再放出させ、次に蒸発器５で冷却し、湿気を結露させて除去する。
【００２２】
そしてこのような除湿動作により、乾燥した空気が生成され、この乾燥空気が上述の送風口３から本体ケース１後方の室内に送風されるようになっている。
【００２３】
したがって、この送風部分に洗濯物を干しておれば、乾燥が効率的に進むものとなるのである。
【００２４】
本実施形態における特徴点は、図３から図５に示すように、送風口３に設けたルーバー１１部分にある。本体ケース１は、縦長で左右方向が前後方向より長い箱形状で、上面には、上方に開口する略横長四角形状の送風口３を有し、この送風口３の上方に所定間隔をおいて、送風口３を覆ったルーバー１１を備えている。このルーバー１１は、送風口３を覆うルーバー面部１２と、このルーバー面部１２の両端に位置すると共に外方に延びた軸部と、ルーバー面部１２と少なくとも一方の軸部との間に第２の撓み部１３を備えている。
【００２５】
具体的には、ルーバー面部１２が水平方向に位置する状態において、ルーバー面部１２が水平方向に位置する状態において、ルーバー面部１２は、第１の撓み部１４を備えた略横長四角平板形状で、ルーバー面部１２の一方の短辺側には、ルーバー面部１２から下方に延びた平板形状の第１の支持部１５と、この第１の支持部１５から外方に延びた円柱形状の第１の軸部１６を備えている。また、ルーバー面部１２の他方の短辺側には、ルーバー面部１２から下方に延びた平板形状の第２の支持部１７と、この第２の支持部１７から本体ケース１における前後水平方向に延びた横長平板形状の第２の撓み部１３と、この第２の撓み部１３から外方に延びた円柱形状の第２の軸部１８を備えている。この第２の軸部１８は、第１の軸部１６より軸方向の長さが短いものである。
【００２６】
第１の軸部１６は、送風口３の一方の短辺側に設けた円柱形状の孔である第１の軸受部１９に、第２の軸部１８は、送風口３の他方の短辺側に設けた円柱形状の孔である第２の軸受部２０に回動自在に装着される。
【００２７】
すなわち、まず、ルーバー面部１２が水平方向に位置する状態においては、ルーバー面部１２を掴み引き上げると本体の自重によって、第１の撓み部１４は、垂直方向に撓み、第２の撓み部１３は、第２の軸部１８の軸方向に撓むものである。これにより、第２の軸部１８は、ルーバー１１の内方へ入り込むものである。つまり、第１の撓み部１４と第２の撓み部１３との２箇所が撓むので、第２の軸受部２０から第２の軸部１８が容易に外れ、本体ケース１が持ち上がる前にルーバー１１が本体ケース１から外れるものである。
【００２８】
次に、ルーバー面部１２が垂直方向に位置する状態において、ルーバー面部１２を掴み引き上げると、本体の自重によって第２の撓み部１３が撓み、第２の軸部１８は、ルーバー１１の内方へ入り込むので、第２の軸受部２０から第２の軸部１８が容易に外れ、本体が持ち上がる前にルーバー１１が本体ケース１から外れるものである。
【００２９】
結果として、風向変更装置の移動時の安全性を更に向上することが出来るものである。
【００３０】
また、第１の撓み部１４は、ルーバー面部１２を軸部の軸方向に長い横長形状で、可撓性材料にて形成する構成としたものである。なお、可撓性材料の一例としては、ＡＢＳ樹脂、ポリプロピレンである。
【００３１】
すなわち、ルーバー面部１２を軸部の軸方向に長い横長平板形状で、可撓性材料にて形成するので、ルーバー面部１２が水平方向に位置する状態においては、ルーバー面部１２を掴み引き上げると本体の自重によって、第１の撓み部１４は、垂直方向に撓み易いものである。なお取手部３３は、略コの字形状で、ルーバー面部１２と平行に位置するものである。
【００３２】
また、ルーバー面部１２が垂直方向に位置する状態において、ルーバー面部１２を掴み引き上げると、第２の撓み部１３は、第２の軸部１８の軸方向に撓むと共に、第２の軸部１８の上部は水平方向において均等にルーバー１１の内方へ入り込む構成としたものである。
【００３３】
具体的には、第２の撓み部１３とルーバー面部１２との間に第２の支持部１７を設け、第２の撓み部１３は、可撓性材料にて形成すると共に、第２の軸部１８の軸方向に対する垂直面において第２の支持部１７から水平に後方へ延びた平板形状で構成したものである。
【００３４】
すなわち、ルーバー面部１２が垂直方向に位置する状態において、ルーバー面部１２を掴み引き上げると、本体の自重によって第２の撓み部１３が撓む。ここで、第２の撓み部１３は、ルーバー面部１２が垂直方向に位置する状態において、ルーバー面部１２の第２の支持部１７から下方向、つまり第２の撓み部１３は、ルーバー面部１２を掴んで引き上げる方向と同方向である上下方向に延びているので、ルーバー面部１２が垂直方向に位置する状態における第２の軸部１８の上部は、水平方向において均等にルーバー１１の内方へ入り込み、第２の軸受部２０から第２の軸部１８が容易に外れ、本体が持ち上がる前にルーバー１１が本体ケース１から外れるものである。
【００３５】
また、仮に、ルーバー面部１２が垂直方向に位置する状態において、第２の撓み部１３が、引き上げる方向とは異なり、水平方向に延びることになると、ルーバー面部１２が垂直方向に位置する状態における第２の軸部１８の上部は、水平方向において均等にルーバー１１の内方へ入り込まないので、第２の軸受部２０から第２の軸部１８が容易に外れず、本体が持ち上がる前にルーバー１１が本体ケース１から外れない場合が発生するものである。
【００３６】
また、図６に示すように、第２の軸部１８には傾斜部２１を設け、この傾斜部２１は、円柱形状の第２の軸部１８の先端に位置し、第２の軸部１８の中心から第２の撓み部１３側の半円部分が、第２の軸部１８の中心から第２の撓み部側に向かうにつれてルーバー１１の内方へ傾斜する構成としたものである。具体的には、円柱形状の第２の軸部１８の先端を、第２の軸部１８の中心から第２の撓み部１３側の半円部分を切り欠くことにより、傾斜部２１を設けたものである。
【００３７】
これにより、ルーバー面部１２が垂直方向に位置する状態における第２の軸部１８の中心から上部には、第２の軸部１８の中心から第２の撓み部１３側に向かうにつれてルーバー１１の内方へ傾斜する傾斜部２１が位置するので、ルーバー面部１２が垂直方向に位置する状態において、ルーバー面部１２を掴み引き上げると、本体の自重によって第２の撓み部１３が撓むと、最初に第２の軸部１８は傾斜部２１が第２の軸受部２０の孔から外れることとなるので、更に、ルーバー面部１２が垂直方向に位置する状態において、ルーバー面部１２を掴み引き上げると、第２の軸受部２０から第２の軸部１８が容易に外れ、本体が持ち上がる前にルーバー１１が本体ケース１から外れるものである。
【００３８】
また、ルーバー１１は、第１の軸部１６と、連結部２２とを介して回動手段である電動機２３によって、往復回動するものでもよい。電動機２３は、本体ケース１にねじにより固定されている。連結部２２は、第１の連結部２５と第２の連結部２４とから形成している。第１の連結部２５は、電動機２３の回転軸に固定された円形の歯車である。第２の連結部２４は、扇形状で、円周部分には、第１の連結部２５である円形の歯車と噛み合う歯２７を備え、中心部分には、第１の軸受部１９の孔内に回転自在に装着できると共に、第１の軸部１６に被さる筒部２８を備えている。そして、この筒部２８は、第１の軸部１６を回転方向に対しては固定するが、軸方向に対しては着脱自在である。ここで、第２の連結部の材質は、一例としてポリアセタール樹脂がある。つまり、第１の軸部１６と、この第１の軸部１６と嵌りあう第２の連結部とは、異なる材料で形成している。
【００３９】
（実施の形態２）
以下、本発明の実施の形態２における風向変更装置について図面を参照しながら説明する。なお、実施の形態１の構成と同様の構成を有するものについては、同一符号を付してその説明を省略する。
【００４０】
実施の形態１と相違する点は、第２の軸部１８には傾斜部２９を設け、この傾斜部２９は、円柱形状の第２の軸部１８の先端に位置し、第１の傾斜部３０と第２の傾斜部３１とから形成した点である。
【００４１】
具体的には、図７に示すように、まず、第１の傾斜部３０は、ルーバー面部１２が水平方向に位置する状態において、第２の軸部１８の中心から第２の撓み部１３側の上部の扇形部分に位置するものである。そして、第２の軸部１８の中心から第２の撓み部１３側に向かうにつれてルーバー１１の内方へ傾斜すると共に、第２の軸部１８の中心から上部に向かうにつれてルーバー１１の内方へ傾斜する扇形部分の傾斜面が、第１の傾斜部３０となる。次に、第２の傾斜部３１は、ルーバー面部１２が水平方向に位置する状態において、第２の軸部１８の中心から第２の撓み部１３側の下部の扇形部分に位置するものである。そして、第２の軸部１８の中心から第２の撓み部１３側に向かうにつれてルーバーの内方へ傾斜すると共に、第２の軸部１８の中心から下部に向かうにつれてルーバー１１の内方へ傾斜する扇形部分の傾斜面が、第２の傾斜部３１となる。
【００４２】
すなわち、まず、ルーバー面部１２が水平方向に位置する状態において、第２の軸部１８の中心から第２の撓み部１３側の上部の扇形部分に第１の傾斜部３０が位置するので、ルーバー面部１２が水平方向に位置する状態においては、ルーバー面部１２を掴み引き上げると本体の自重によって、第１の撓み部１４は、垂直方向に撓み、第２の撓み部１３は、第２の軸部１８の軸方向に撓むものである。ここで、第１の傾斜部３０によって、第２の軸部１８は、第２の軸受部２０の孔から更に容易に外れ、本体が持ち上がる前にルーバー１１が本体ケース１から外れるものである。
【００４３】
次に、ルーバー面部１２が垂直方向に位置する状態において、第２の軸部１８の中心から第２の撓み部１３側に向かうにつれてルーバー１１の内方へ傾斜すると共に、第２の軸部１８の中心からルーバー面部１２側に向かうにつれてルーバー１１の内方へ傾斜する扇形部分の第１の傾斜部３０と、第２の軸部１８の中心から第２の撓み部１３側に向かうにつれてルーバー１１の内方へ傾斜すると共に、第２の軸部１８の中心からルーバー面部１２から離れるにつれてルーバー１１の内方へ傾斜する扇形部分の傾斜面が、第２の傾斜部３１とが位置する。そして、ルーバー面部１２が垂直方向に位置する状態において、ルーバー面部１２を掴み引き上げると、本体の自重によって第２の撓み部１３が撓むと、最初に第２の軸部１８は傾斜部が第２の軸受部２０の孔から外れ、更に、第２の軸受部２０の孔の周縁部と、第１の傾斜部３０と第２の傾斜部３１との境目である角部３２のみが接触しながら第２の軸部１８は第２の軸受部２０の孔から外れるので、第２の軸受部２０から第２の軸部１８が容易に外れ、本体が持ち上がる前にルーバー１１が本体ケース１から外れるものである。
【産業上の利用可能性】
【００４４】
以上のように本発明は、上方に開口する送風口を有する本体ケースと、この本体ケース内に設けた送風手段と、前記送風口の上方を、所定間隔をおいて覆ったルーバーとを備え、前記ルーバーは、前記送風口を覆うルーバー面部と、このルーバー面部の両端に位置すると共に外方に延びた軸部とから形成し、この軸部は前記本体ケースに設けた軸受部に回動自在に装着され、前記ルーバー面部には第１の撓み部を備え、前記ルーバー面部と少なくとも一方の前記軸部との間に第２の撓み部を設け、前記ルーバー面部が水平方向に位置する状態において、前記ルーバー面部を掴み引き上げると、前記第１の撓み部は、垂直方向に撓み、前記第２の撓み部は、前記軸部の軸方向に撓むと共に、前記軸部は、前記ルーバーの内方へ入り込み、前記ルーバー面部が垂直方向に位置する状態において、前記ルーバー面部を掴み引き上げると、前記第２の撓み部は、前記軸部の軸方向に撓むと共に、前記軸部は、前記軸部の上部は水平方向において均等に前記ルーバーの内方へ入り込む構成としたものであり、風向変更装置の移動時の安全性を更に向上することが出来るものである。
【００４５】
すなわち、まず、ルーバー面部が水平方向に位置する状態においては、ルーバー面部を掴み引き上げると本体の自重によって、第１の撓み部は、垂直方向に撓み、第２の撓み部は、軸部の軸方向に撓むものである。これにより、軸部は、ルーバーの内方へ入り込むものである。つまり、第１の撓み部と第２の撓み部との２箇所が撓むので、軸受部から軸部が容易に外れ、本体が持ち上がる前にルーバーが本体から外れるものである。
【００４６】
次に、ルーバー面部が垂直方向に位置する状態において、ルーバー面部を掴み引き上げると、本体の自重によって第２の撓み部が撓み、軸部は、ルーバーの内方へ入り込むので、軸受部から軸部が容易に外れ、本体が持ち上がる前にルーバーが本体から外れるものである。
【００４７】
結果として、風向変更装置の移動時の安全性を更に向上することが出来るものである。
【００４８】
従って、家庭用や事務所用などの、除湿機などの空調装置の吹出口に使用される風向変更装置として活用が期待されるものである。
【符号の説明】
【００４９】
１    本体ケース
２    吸込口
３    送風口
４    凝縮器
５    蒸発器
６    除湿ロータ
７    モータ
８    ファン
９    ドレインパン
１０  タンク
１１  ルーバー
１２  ルーバー面部
１３  第２の撓み部
１４  第１の撓み部
１５  第１の支持部
１６  第１の軸部
１７  第２の支持部
１８  第２の軸部
１９  第１の軸受部
２０  第２の軸受部
２１  傾斜部
２２  連結部
２３  電動機
２４  第２の連結部
２５  第１の連結部
２７  歯
２８  筒部
２９  傾斜部
３０  第１の傾斜部
３１  第２の傾斜部
３２  角部
３３  取手部
【図１】
0005690998.tif 000002
【図２】
0005690998.tif 000003
【図３】
0005690998.tif 000004
【図４】
0005690998.tif 000005
【図５】
0005690998.tif 000006
【図６】
0005690998.tif 000007
【図７】
0005690998.tif 000008